(57)【要約】【課題】第１フレームと第２フレームとを安定に溶着することができる現像カートリッジを提供すること。【解決手段】  現像ローラ２を支持するベースフレーム３２と、ベースフレーム３２に溶着されるカバーフレーム３３とを有する現像カートリッジ１において、カバーフレーム３３の本体部５０に対して傾斜し、ベースフレーム３２の傾斜部４０（６４）に溶着される傾斜壁７７（７８）に、上下方向に所定の寸法を有し、前後方向に延びる突出部５７（８０）を設け、突出部５７（８０）に溶着装置９４の振動部９６を接触させて、カバーフレーム３３の傾斜壁７７（７８）と、ベースフレーム３２の傾斜部４０（６４）とを溶着する。【選択図】図１０
2016142871.tif 000002
【特許請求の範囲】
【請求項１】
現像ローラと、
現像剤収容部と、前記現像剤収容部と連通し、前記現像ローラを支持する現像ローラ支持部とを備える第１フレームと、
前記現像剤収容部および前記現像ローラ支持部を被覆するように前記第１フレームに溶着される第２フレームとを備え、
前記第１フレームは、
前記現像剤収容部の縁部に沿って、前記現像ローラの軸線と直交する第１方向に延びる第１溶着面と、
前記第１方向において前記第１溶着面よりも近い位置に位置し、前記第１溶着面とによって鈍角を形成する第２溶着面とを有し、
前記第２フレームは、
前記第１溶着面に対して溶着される第３溶着面を有し、前記第１溶着面と平行に延びる第１壁と、
前記第２溶着面に対して溶着される第４溶着面を有し、前記第２溶着面と平行に延びる第２壁と、
前記第４溶着面と交差する面を有し、前記第１方向において前記第２壁から前記現像ローラに向けて突出する突出部とを有することを特徴とする、現像カートリッジ。
【請求項２】
前記第４溶着面と交差する前記面は、前記第３溶着面と平行することを特徴とする、請求項１に記載の現像カートリッジ。
【請求項３】
前記第２フレームは、前記軸線方向に直交する側壁をさらに備え、
前記第２壁は、前記側壁の前記軸線方向内方に連続して延び、
前記突出部は、前記側壁の前記軸線方向内方に間隔を隔てて配置されていることを特徴とする、請求項１または２に記載の現像カートリッジ。
【請求項４】
前記突出部は、
前記第２壁から前記軸線方向と直交する方向に延び、第１端と、前記第１端よりも前記第１フレームから遠い第２端とを有する外壁と、
前記外壁に対して前記軸線方向に間隔を隔てて配置され、前記第２壁から前記軸線方向と直交する方向に延び、第３端と、前記第３端よりも前記第１フレームから遠い第４端とを有する内壁と、
前記第４溶着面と交差する前記面を有し、前記第２端と前記第４端とを連結する連結壁と
を有し、前記第１端と前記第３端との間において開放されていることを特徴とする、請求項１〜３のいずれか一項に記載の現像カートリッジ。
【請求項５】
前記外壁は、前記第２溶着面に向かい合っており、
前記内壁は、前記第２溶着面よりも前記軸線方向における前記現像ローラの中心に近い位置に配置されていることを特徴とする、請求項４に記載の現像カートリッジ。
【請求項６】
前記第２壁は、前記第４溶着面から突出し、前記第４溶着面が前記第２溶着面に溶着されるときに溶融されるリブを有し、
前記リブの前記軸線方向内端は、前記第４溶着面に直交する方向から見て、前記外壁に重なっていることを特徴とする、請求項４または５に記載の現像カートリッジ。
【請求項７】
前記軸線方向に延び、前記現像ローラに接触するブレードをさらに備え、
前記第２フレームは、
前記第１方向において、前記ブレードに向かい合う対向壁と、
前記突出部と前記対向壁とを連結する連結リブと
を備えることを特徴とする、請求項１〜６のいずれか一項に記載の現像カートリッジ。
【発明の詳細な説明】
【技術分野】
【０００１】
本発明は、電子写真方式が採用される画像形成装置に装着される現像カートリッジに関する。
【背景技術】
【０００２】
電子写真方式の画像形成装置に装着される現像カートリッジとして、例えば、現像剤を収容する現像剤収容部と、現像ローラを支持するローラ支持部とを有する現像カートリッジが知られている（例えば、下記特許文献１参照。）。
【０００３】
この現像カートリッジは、フレームの下側を構成する第１フレームと、フレームの上側を構成し、第１フレームに溶着される第２フレームとを備えている。第１フレームと第２フレームとの溶着部分は、ローラ支持部において、現像ローラに近づくにつれて下方へ傾斜している。
【先行技術文献】
【特許文献】
【０００４】
【特許文献１】特開２０１１−１３３７５７号公報
【発明の概要】
【発明が解決しようとする課題】
【０００５】
上記した特許文献１に記載される現像カートリッジでは、下方へ傾斜している溶着部分を超音波で溶着するときに、溶着部分に対する超音波発生装置の接触状態が不安定になるおそれがある。
【０００６】
特に、トナーカートリッジの大容量化が検討され、ローラ支持部が上下方向に大型化する場合、溶着部分の傾斜が急になり、溶着部分に対する超音波発生装置の接触状態が、より不安定になるおそれがある。
【０００７】
そこで、本発明の目的は、第１フレームと第２フレームとを安定に溶着することができる現像カートリッジを提供することにある。
【課題を解決するための手段】
【０００８】
（１）上記した目的を達成するため、本発明の現像カートリッジは、現像ローラと、現像剤収容部と、現像剤収容部と連通し、現像ローラを支持する現像ローラ支持部とを備える第１フレームと、現像剤収容部および現像ローラ支持部を被覆するように第１フレームに溶着される第２フレームとを備える。
【０００９】
第１フレームは、現像剤収容部の縁部に沿って、現像ローラの軸線と直交する第１方向に延びる第１溶着面と、第１方向において第１溶着面よりも近い位置に位置し、第１溶着面とによって鈍角を形成する第２溶着面とを有する。
【００１０】
第２フレームは、第１溶着面に対して溶着される第３溶着面を有し、第１溶着面と平行に延びる第１壁と、第２溶着面に対して溶着される第４溶着面を有し、第２溶着面と平行に延びる第２壁と、第４溶着面と交差する面を有し、第１方向において第２壁から現像ローラに向けて突出する突出部とを有する。
【００１１】
このような構成によれば、第２フレームを第１フレームに溶着するときに、突出部の面に溶着装置を接触させて、第４溶着面に超音波を加えることができる。
【００１２】
そのため、第４溶着面と交差する面で確実に溶着装置を支持した状態で、第２溶着面と第４溶着面とを溶着することができる。
【００１３】
その結果、第２溶着面および第４溶着面が傾斜していても、第１フレームと第２フレームとを安定に溶着することができる。
（２）第４溶着面と交差する面は、第３溶着面と平行していてもよい。
【００１４】
このような構成によれば、第３溶着面と直交する方向から、第４溶着面と交差する面に、溶着装置を接触させることができる。
【００１５】
そのため、溶着装置を、突出部および第１壁の両方に、同じ方向から接触させて、第１溶着面と第３溶着面とを溶着するとともに、第２溶着面と第４溶着面とを溶着することができる。
【００１６】
その結果、第１フレームと第２フレームとを円滑に溶着することができる。
（３）第２フレームは、軸線方向に直交する側壁をさらに備えてもよい。第２壁は、側壁の軸線方向内方に連続して延びてもよい。突出部は、側壁の軸線方向内方に間隔を隔てて配置されていてもよい。
【００１７】
このような構成によれば、突出部は、側壁の軸線方向内方に、側壁とは別に設けられている。
【００１８】
そのため、側壁でガイドしながら、溶着装置を突出部に確実に接触させることができる。
【００１９】
その結果、第２溶着面と第４溶着面とをより確実に溶着することができる。
（４）突出部は、第２壁から軸線方向と直交する方向に延び、第１端と、第１端よりも第１フレームから遠い第２端とを有する外壁と、外壁に対して軸線方向に間隔を隔てて配置され、第２壁から軸線方向と直交する方向に延び、第３端と、第３端よりも第１フレームから遠い第４端とを有する内壁と、第４溶着面と交差する面を有し、第２端と第４端とを連結する連結壁とを有し、第１端と第３端との間において開放されていてもよい。
【００２０】
このような構成によれば、突出部を成形するときに、第１端と第３端との間に金型を配置して、容易に突出部を成形することができる。
（５）外壁は、第２溶着面に向かい合っており、内壁は、第２溶着面よりも軸線方向における現像ローラの中心に近い位置に配置されていてもよい。
【００２１】
このような構成によれば、溶着装置を、第４溶着面と交差する突出部の面に接触させて、外壁を第２溶着面に押圧することができる。
【００２２】
そのため、外壁の近くにおいて、第２溶着面と第４溶着面とを、押圧しながら確実に溶着することができる。
【００２３】
また、内壁と外壁とは、寸法公差により、上下方向にずれる場合がある。
【００２４】
しかし、このような構成によれば、内壁を第２溶着面に接触させないで、外壁だけを第２溶着面に押圧することができる。
【００２５】
これにより、内壁と外壁との寸法公差によらず、外壁の近くにおいて、第４溶着面を第２溶着面に対して、確実に押圧することができる。
（６）第２壁は、第４溶着面から突出し、第４溶着面が第２溶着面に溶着されるときに溶融されるリブを有してもよい。リブの軸線方向内端は、第４溶着面に直交する方向から見て、外壁に重なっていてもよい。
【００２６】
このような構成によれば、溶着装置を、第４溶着面と交差する突出部の面に接触させて、外壁を第２溶着面に押圧することにより、リブを、第２溶着面に確実に押圧することができる。
【００２７】
そのため、第２溶着面と第４溶着面とを、より確実に溶着することができる。
（７）本発明の現像カートリッジは、軸線方向に延び、現像ローラに接触するブレードをさらに備えてもよい。第２フレームは、第１方向において、ブレードに向かい合う対向壁と、突出部と対向壁とを連結する連結リブとを備えてもよい。
【００２８】
このような構成によれば、ブレードに向かい合う対向壁を、連結リブで支えることができる。
【００２９】
その結果、ブレードを、より確実に支持することができる。
【発明の効果】
【００３０】
本発明の現像カートリッジは、第１フレームと第２フレームとを安定に溶着することができる。
【図面の簡単な説明】
【００３１】
【図１】図１は、本発明の現像カートリッジの後上方から見た斜視図である。
【図２】図２は、図１に示す現像カートリッジが装着される画像形成装置の中央断面図である。
【図３】図３は、図１に示す現像カートリッジの中央断面図である。
【図４】図４は、図１に示す現像フレームの平面図である。
【図５】図５は、図４に示す現像フレームの後上方から見た分解斜視図である。
【図６】図６は、図５に示すカバーフレームの底面図である。
【図７】図７は、図４に示す現像フレームを溶着装置に設置した状態を示す後上方から見た斜視図である。
【図８】図８は、図４に示す現像フレームのＡ−Ａ断面図である。
【図９】図９は、図８に示す現像フレームのＢ−Ｂ断面図である。
【図１０】図１０は、図４に示す現像フレームのＣ−Ｃ断面図であり、現像フレームを溶着装置に設置した状態を示す。
【図１１】図１１Ａは、図１に示すブレードの後面図である。図１１Ｂは、図１１Ａに示すブレードの正面図である。
【図１２】図１２は、図１１Ａに示すブレードの後上方から見た分解斜視図である。
【図１３】図１３は、現像フレームに供給ローラが組みつけられた状態を示す斜視図である。
【図１４】図１４は、現像フレームに対するブレードの組みつけを説明する説明図である。
【発明を実施するための形態】
【００３２】
１．現像カートリッジの概略
現像カートリッジ１は、図１および図２に示すように、現像ローラ２と、供給ローラ３と、ブレード４と、トナー収容部５とを備えている。
【００３３】
現像ローラ２は、所定の方向に延びている。本実施形態では、現像ローラ２の延びる方向を、左右方向とする。なお、図面を説明する際には、左右方向を基準として、図１に示す上下方向、及び、前後方向を用いて説明する。現像ローラ２は、現像カートリッジ１の後端部に回転可能に支持されている。現像ローラ２は、現像ローラ軸２Ａと、ローラ部２Ｂとを備えている。
【００３４】
現像ローラ軸２Ａは、円柱形状を有している。現像ローラ軸２Ａは、左右方向に延びている。現像ローラ軸２Ａは、金属からなる。
【００３５】
ローラ部２Ｂは、円筒形状を有している。ローラ部２Ｂは、左右方向に延びている。ローラ部２Ｂは、導電性を有するゴムからなる。ローラ部２Ｂは、現像ローラ軸２Ａの左右両端部を被覆せず、現像ローラ軸２Ａの左右方向中央を被覆している。
【００３６】
供給ローラ３は、現像ローラ２の前下方において、現像カートリッジ１に回転可能に支持されている。供給ローラ３は、供給ローラ軸３Ａと、ローラ部３Ｂとを備えている。
【００３７】
供給ローラ軸３Ａは、円柱形状を有している。供給ローラ軸３Ａは、左右方向に延びている。供給ローラ軸３Ａは、金属からなる。
【００３８】
ローラ部３Ｂは、円筒形状を有している。ローラ部３Ｂは、左右方向に延びている。ローラ部３Ｂは、導電性を有するスポンジからなる。ローラ部３Ｂは、供給ローラ軸３Ａの左右両端部を被覆せず、供給ローラ軸３Ａの左右方向中央を被覆している。ローラ部３Ｂは、現像ローラ２のローラ部２Ｂの前下端部に接触している。
【００３９】
ブレード４は、現像ローラ２の前上方に位置している。ブレード４は、現像ローラ２のローラ部２Ｂの前端部に接触している。
【００４０】
トナー収容部５は、供給ローラ３およびブレード４の前方に位置している。トナー収容部５は、トナーを収容するように構成されている。トナー収容部５は、アジテータ６を備えている。
【００４１】
アジテータ６は、左右方向に延び、トナー収容部５内に回転可能に支持されている。
２．現像カートリッジの使用態様
図２に示すように、現像カートリッジ１は、画像形成装置１１に装着されて使用される。
【００４２】
画像形成装置１１は、電子写真方式のモノクロプリンタである。画像形成装置１１は、装置本体１２と、プロセスカートリッジ１０と、スキャナユニット１３と、定着ユニット１４とを備えている。
【００４３】
装置本体１２は、ボックス形状に形成されている。装置本体１２は、開口部１５と、フロントカバー１６と、給紙トレイ１７と、排紙トレイ１８とを有している。
【００４４】
開口部１５は、装置本体１２の前端部に位置している。開口部１５は、プロセスカートリッジ１０の通過を許容するように、装置本体１２の内外を前後方向に連通している。
【００４５】
フロントカバー１６は、装置本体１２の前端部に位置している。フロントカバー１６は、板形状を有している。フロントカバー１６は、上下方向に延び、その下端部を支点として装置本体１２の前壁に揺動可能に支持されている。フロントカバー１６は、開口部１５を開放または閉鎖するように構成されている。
【００４６】
給紙トレイ１７は、装置本体１２の底部に位置している。給紙トレイ１７は、用紙Ｐを収容するように構成されている。
【００４７】
排紙トレイ１８は、装置本体１２の上壁の前側半分に位置している。排紙トレイ１８は、用紙Ｐが載置されるように、装置本体１２の上面から下方へ凹んでいる。
【００４８】
プロセスカートリッジ１０は、装置本体１２の上下方向中央に収容されている。プロセスカートリッジ１０は、開口部１５を介して装置本体１２に対して装着または離脱される。プロセスカートリッジ１０は、ドラムカートリッジ２１と、上記した現像カートリッジ１とを備えている。
【００４９】
ドラムカートリッジ２１は、感光ドラム２２と、スコロトロン型帯電器２３と、転写ローラ２４とを備えている。
【００５０】
感光ドラム２２は、ドラムカートリッジ２１の後端部に回転可能に支持されている。感光ドラム２２は、左右方向に延びる円筒形状を有している。
【００５１】
スコロトロン型帯電器２３は、感光ドラム２２の後上方において、感光ドラム２２と間隔を隔てて位置している。
【００５２】
転写ローラ２４は、感光ドラム２２の下方に位置している。転写ローラ２４は、感光ドラム２２の下端部と接触している。
【００５３】
現像カートリッジ１は、現像ローラ２が感光ドラム２２の前端部に接触するように、感光ドラム２２の前方に位置している。
【００５４】
スキャナユニット１３は、プロセスカートリッジ１０の上方に位置している。スキャナユニット１３は、感光ドラム２２に向けて画像データに基づくレーザービームを出射するように構成されている。
【００５５】
定着ユニット１４は、プロセスカートリッジ１０の後方に位置している。定着ユニット１４は、加熱ローラ１９と、加熱ローラ１９の後下端部に圧接される加圧ローラ２０とを備えている。
【００５６】
画像形成装置１１が画像形成動作を開始すると、スコロトロン型帯電器２３は、感光ドラム２２の表面を一様に帯電する。スキャナユニット１３は、感光ドラム２２の表面を露光する。これにより、画像データに基づく静電潜像が、感光ドラム２２の表面に形成される。
【００５７】
また、アジテータ６は、トナー収容部５内のトナーを撹拌して、供給ローラ３に供給する。供給ローラ３は、アジテータ６によって供給されたトナーを現像ローラ２に供給する。このとき、トナーは、現像ローラ２と供給ローラ３との間で正極性に摩擦帯電され、現像ローラ２に担持される。ブレード４は、現像ローラ２に担持されたトナーの厚みを一定に規制する。
【００５８】
そして、現像ローラ２に担持されたトナーは、感光ドラム２２表面の静電潜像に供給される。これにより、トナー像が、感光ドラム２２の表面に担持される。
【００５９】
用紙Ｐは、給紙トレイ１７から、各種ローラの回転により、所定のタイミングで１枚ずつ、感光ドラム２２と転写ローラ２４との間に給紙される。感光ドラム２２表面のトナー像は、用紙Ｐが感光ドラム２２と転写ローラ２４との間を通過するときに、用紙Ｐに転写される。
【００６０】
その後、用紙Ｐは、加熱ローラ１９と加圧ローラ２０との間を通過するときに加熱および加圧される。これにより、用紙Ｐ上のトナー像は、用紙Ｐに熱定着される。その後、用紙Ｐは、排紙トレイ１８に排紙される。
３．現像カートリッジの詳細
（１）現像フレーム
現像カートリッジ１は、図１および図３に示すように、現像フレーム３１を備えている。
【００６１】
現像フレーム３１は、略ボックス形状を有している。現像フレーム３１は、ベースフレーム３２と、カバーフレーム３３とを備えている。
（１−１）ベースフレーム
ベースフレーム３２は、図５に示すように、有底枠形状を有している。ベースフレーム３２は、左壁３４Ｌ、右壁３４Ｒ、前壁３５および下壁３６を備えている。
【００６２】
左壁３４Ｌは、図５および図８に示すように、ベースフレーム３２の左端部に位置している。左壁３４Ｌは、本体部３７と、取付部３９とを有している。
【００６３】
左壁３４Ｌの本体部３７は、左壁３４Ｌの前方の大部分を構成する。本体部３７は、前後方向に延びる略平板形状を有している。本体部３７の上面Ｓ１は、前後方向に延びている。本体部３７は、トナー収容部５の左壁を構成している。本体部３７は、傾斜部４０と、係合ボス４４とを有している。
【００６４】
傾斜部４０は、本体部３７の前端部に位置している。傾斜部４０は、本体部３７の右面から右方へ突出し、前上方と後下方とを結ぶ方向に延びている。傾斜部４０の上面Ｓ２は、本体部３７の上面Ｓ１に連続して、後方へ向かうにつれて下方へ傾斜するように延びている。すなわち、傾斜部４０の上面Ｓ２は、上面Ｓ２よりも前方の本体部３７の上面Ｓ１よりも現像ローラ２に近い。
【００６５】
係合ボス４４は、本体部３７の後端部に位置している。係合ボス４４は、本体部３７の上面Ｓ１から上方へ突出し、略円柱形状を有している。
【００６６】
取付部３９は、左壁３４Ｌの後端部において、本体部３７の後方に位置している。取付部３９は、第１取付壁３９Ａと、第２取付壁３９Ｂと、第１サイドシール３０Ｌとを備えている。
【００６７】
第１取付壁３９Ａは、本体部３７の後端部から左方へ突出し、上下方向に延びる平板形状を有している。第１取付壁３９Ａは、ブレード取付部４３を有している。
【００６８】
ブレード取付部４３は、第１取付壁３９Ａの上端部に位置している。ブレード取付部４３は、上下方向に延びる略平板形状を有している。ブレード取付部４３は、位置決めボス４５と、ネジ穴４６とを有している。
【００６９】
位置決めボス４５は、ブレード取付部４３の略中央に位置している。また、位置決めボス４５は、本体部３７の上面Ｓ１よりも下方、かつ、傾斜部４０よりも左方に位置している。位置決めボス４５は、ブレード取付部４３の後面から後方へ突出し、円柱形状を有している。
【００７０】
ネジ穴４６は、ブレード取付部４３の下方に、別途、位置している。ネジ穴４６は、ブレード取付部４３の後面から前方へ凹み、後方から見て略円形状を有している。
【００７１】
第２取付壁３９Ｂは、第１取付壁３９Ａの左端部から後方へ延びる略平板形状を有している。第２取付壁３９Ｂは、現像ローラ軸挿通穴４１と、供給ローラ軸挿通穴４２とを有している。
【００７２】
現像ローラ軸挿通穴４１は、第２取付壁３９Ｂの後端部に位置している。現像ローラ軸挿通穴４１は、第２取付壁３９Ｂを左右方向に貫通し、側面視円形状を有している。現像ローラ軸２Ａの左端部（図１参照）は、現像ローラ軸挿通穴４１内に、遊びを有して挿通されている。
【００７３】
供給ローラ軸挿通穴４２は、現像ローラ軸挿通穴４１の前下方に位置している。供給ローラ軸挿通穴４２は、第２取付壁３９Ｂを左右方向に貫通し、側面視矩形状を有している。供給ローラ軸３Ａの左端部は、供給ローラ軸挿通穴４２内に、遊びを有して挿通されている。
【００７４】
第１サイドシール３０Ｌは、ブレード取付部４３の下方に位置し、第１取付壁３９Ａの後面に接触している。第１サイドシール３０Ｌは、上下方向に延びる略平板形状を有している。第１サイドシール３０Ｌは、現像ローラ２のローラ部２Ｂの左端部（図１参照）の周面に接触する。
【００７５】
右壁３４Ｒは、図５に示すように、ベースフレーム３２の右端部に位置している。右壁３４Ｒは、左壁３４Ｌと同様に構成されている。詳しくは、右壁３４Ｒは、本体部６１と、取付部６３とを有している。
【００７６】
本体部６１は、右壁３４Ｒの前方の大部分を構成する。本体部６１は、前後方向に延びる略平板形状を有している。本体部６１の上面Ｓ３は、前後方向に延びている。本体部６１は、トナー収容部５の右壁を構成している。本体部６１は、傾斜部６４と、係合ボス６８とを有している。
【００７７】
傾斜部６４は、本体部６１の前端部に位置している。傾斜部６４は、本体部６１の左面から左方へ突出し、前上方と後下方とを結ぶ方向に延びている。傾斜部６４の上面Ｓ４は、本体部６１の上面Ｓ３に連続して、後方へ向かうにつれて下方へ傾斜するように延びている。すなわち、傾斜部６４の上面Ｓ４は、上面Ｓ４よりも前方の本体部３７の上面Ｓ３よりも現像ローラ２に近い。
【００７８】
係合ボス６８は、本体部６１の後端部に位置している。係合ボス６８は、本体部６１の上面Ｓ３から上方へ突出し、略円柱形状を有している。係合ボス６８の直径は、左壁３４Ｌの係合ボス４４の直径よりも大きい。
【００７９】
取付部６３は、右壁３４Ｒの後端部において、本体部６１の後方に位置している。取付部６３は、第１取付壁６３Ａと、第２取付壁６３Ｂと、第１サイドシール３０Ｒとを備えている。
【００８０】
第１取付壁６３Ａは、本体部６１の後端部から右方へ突出し、上下方向に延びる平板形状を有している。第１取付壁６３Ａは、ブレード取付部６７を有している。
【００８１】
ブレード取付部６７は、第１取付壁６３Ａの上端部に位置している。ブレード取付部６７は、上下方向に延びる略平板形状を有している。ブレード取付部６７は、位置決めボス６９と、ネジ穴７０とを有している。
【００８２】
位置決めボス６９は、ブレード取付部６７の略中央に位置している。また、位置決めボス６９は、本体部３７の上面Ｓ１よりも下方、かつ、傾斜部６４よりも右方に位置している。位置決めボス６９は、ブレード取付部６７の後面から後方へ突出し、円柱形状を有している。
【００８３】
ネジ穴７０は、ブレード取付部６７の下方に、別途、位置している。ネジ穴７０は、ブレード取付部６７の後面から前方へ凹み、後方から見て略円形状を有している。
【００８４】
第２取付壁６３Ｂは、第１取付壁６３Ａの右端部から後方へ延びる略平板形状を有している。第２取付壁６３Ｂは、現像ローラ軸挿通穴６５と、供給ローラ軸挿通穴６６（図７参照）とを有している。
【００８５】
現像ローラ軸挿通穴６５は、第２取付壁６３Ｂの後端部に位置している。現像ローラ軸挿通穴６５は、第２取付壁６３Ｂを左右方向に貫通し、側面視円形状を有している。現像ローラ軸２Ａの右端部（図１参照）は、現像ローラ軸挿通穴６５内に、遊びを有して挿通されている。
【００８６】
供給ローラ軸挿通穴６６は、現像ローラ軸挿通穴６５の前下方に位置している。供給ローラ軸挿通穴６６は、左壁３４Ｌの供給ローラ軸挿通穴４２と同様に、第２取付壁６３Ｂを左右方向に貫通し、側面視矩形状を有している。供給ローラ軸３Ａの右端部は、供給ローラ軸挿通穴６６内に、遊びを有して挿通されている。
【００８７】
第１サイドシール３０Ｒは、ブレード取付部６７の下方に位置し、第１取付壁６３Ａの後面に接触している。第１サイドシール３０Ｒは、上下方向に延びる略平板形状を有している。第１サイドシール３０Ｒは、現像ローラ２のローラ部２Ｂの右端部（図１参照）の周面に接触する。
【００８８】
下壁３６は、図３および図５に示すように、ベースフレーム３２の下端部に位置している。下壁３６は、第１部分３６Ａと、第２部分３６Ｂと、第３部分３６Ｃとを備えている。
【００８９】
第１部分３６Ａは、下壁３６の前半分を構成する。第１部分３６Ａは、断面視略円弧形状を有している。第１部分３６Ａの前後方向略中央は、下方へ凹んでいる。第１部分３６Ａの左端部は、左壁３４Ｌの本体部３７の下端部に連続している。第１部分３６Ａの右端部は、右壁３４Ｒの本体部６１の下端部に連続している。第１部分３６Ａは、トナー収容部５の底壁を構成している。
【００９０】
第２部分３６Ｂは、第１部分３６Ａの後方に位置している。第２部分３６Ｂは、断面視略円弧形状を有している。第２部分３６Ｂは、第１部分３６Ａの後端部に連続して、供給ローラ３のローラ部３Ｂの外周面に沿って湾曲するように後方へ延びている。第２部分３６Ｂの左端部は、左壁３４Ｌの取付部３９の前下端部に連続している。第２部分３６Ｂの右端部は、右壁３４Ｒの取付部６３の前下端部に連続している。
【００９１】
第３部分３６Ｃは、第２部分３６Ｂの後方に位置している。第３部分３６Ｃは、断面視略直線形状を有している。第３部分３６Ｃは、第２部分３６Ｂの後端部に連続して、後方に向かって延びている。第３部分３６Ｃの左端部は、左壁３４Ｌの取付部３９の後下端部に連続している。第３部分３６Ｃの右端部は、右壁３４Ｒの取付部６３の後下端部に連続している。
【００９２】
前壁３５は、ベースフレーム３２の前端部に位置している。前壁３５は、下壁３６の前端部に連続して上方へ延び、上端部において前方へ屈曲して、前方へ延びている。前壁３５の左端部は、左壁３４Ｌの本体部３７の前端部に連続している。前壁３５の右端部は、右壁３４Ｒの本体部３７の前端部に連続している。前壁３５は、トナー収容部５の前壁を構成している。前壁３５の上面Ｓ５は、左右方向に延びている。前壁３５の上面Ｓ５は、左壁３４Ｌの本体部３７の上面Ｓ１、および、右壁３４Ｒの本体部６１の上面Ｓ３に連続している。
（１−２）カバーフレーム
カバーフレーム３３は、図４および図５に示すように、ベースフレーム３２の上方に位置している。カバーフレーム３３は、左右方向に延びる平面視略矩形の平板形状を有している。カバーフレーム３３は、本体部５０、左係合部５１Ｌ、右係合部５１Ｒ、左傾斜部５２Ｌ、右傾斜部５２Ｒ、中央部５３、ブレード支持部５５および溶着リブ５４（図６参照）を備えている。
【００９３】
本体部５０は、カバーフレーム３３の前方の大部分を構成する。本体部５０は、左右方向に延びる平面視略矩形の平板形状を有している。
【００９４】
左係合部５１Ｌは、カバーフレーム３３の左後端部に位置している。左係合部５１Ｌは、平面視略矩形の平板形状を有している。左係合部５１Ｌは、係合穴５６を有している。
【００９５】
係合穴５６は、左係合部５１Ｌの中央に位置している。係合穴５６は、左係合部５１Ｌを上下方向に貫通し、平面視略円形状を有している。
【００９６】
右係合部５１Ｒは、カバーフレーム３３の右後端部に位置している。右係合部５１Ｒは、平面視略矩形の平板形状を有している。右係合部５１Ｒは、係合穴８１を有している。
【００９７】
係合穴８１は、右係合部５１Ｒの中央に位置している。係合穴８１は、右係合部５１Ｒを上下方向に貫通し、平面視略円形状を有している。
【００９８】
左傾斜部５２Ｌは、カバーフレーム３３の左後端部において、左係合部５１Ｌの右方に位置している。左傾斜部５２Ｌは、傾斜壁７７と、垂直壁７６と、突出部５７とを備えている。
【００９９】
傾斜壁７７は、本体部５０に連続して、後下方へ延びている。すなわち、傾斜壁７７は、後方へ向かうにつれて下方へ傾斜している。傾斜壁７７は、平面視略矩形の平板形状を有している。傾斜壁７７の下面７７Ａと本体部５０の下面５０Ａとの角度θ１（図８参照）は、鈍角であり、１５０°である。角度θ１は、例えば、１２０°以上であり、１８０°未満とすることができる。
【０１００】
垂直壁７６は、左係合部５１Ｌの右端部から下方へ延びる平板形状を有している。垂直壁７６は、下端部（図９参照）において、傾斜壁７７の左端部に連続している。
【０１０１】
突出部５７は、図９および図１０に示すように、傾斜壁７７の下半分から上方へ突出している。突出部５７は、上端部が閉鎖された略角筒形状を有している。言い換えると、突出部５７は、上下方向に所定の長さを有し、傾斜壁７７の下半分から前方へ突出している。突出部５７は、下端部において傾斜壁７７の上面に連続している。突出部５７の下端部は、後述する外壁５７Ａと内壁５７Ｂとの間において、傾斜壁７７を上下方向に貫通するように開放されている。詳しくは、突出部５７は、外壁５７Ａ、内壁５７Ｂ、上壁５７Ｃおよび後壁５７Ｄを備えている。
【０１０２】
外壁５７Ａは、突出部５７の左端部に位置している。外壁５７Ａは、垂直壁７６の右方に間隔Ｄ１を隔てて位置している。外壁５７Ａは、傾斜壁７７の上面から上方に延びる平板形状を有している。すなわち、外壁５７Ａの下端部Ｅ１は、傾斜壁７７に連続している。
【０１０３】
内壁５７Ｂは、突出部５７の右端部に位置している。内壁５７Ｂは、傾斜壁７７の上面から上方に延びる平板形状を有している。すなわち、内壁５７Ｂの下端部Ｅ３は、傾斜壁７７に連続している。
【０１０４】
上壁５７Ｃは、突出部５７の上端部に位置している。上壁５７Ｃは、前後方向に延びる平板形状を有している。上壁５７Ｃの左端部は、外壁５７Ａの上端部Ｅ２に連続している。上壁５７Ｃの右端部は、内壁５７Ｂの上端部Ｅ４に連続している。上壁５７Ｃの前端部は、傾斜壁７７の上下方向略中央に連続している。上壁５７Ｃの上面Ｓ６は、前端部において、傾斜壁７７の上面に連続している。また、上壁５７Ｃの上面Ｓ６は、本体部５０の下面５０Ａと平行している。
【０１０５】
後壁５７Ｄは、突出部５７の後端部に位置している。後壁５７Ｄは、傾斜壁７７の上面から上方に延びる平板形状を有している。後壁５７Ｄの左端部は、外壁５７Ａの後端部に連続している。後壁５７Ｄの右端部は、内壁５７Ｂの後端部に連続している。後壁５７Ｄの上端部は、上壁５７Ｃの後端部に連続している。
【０１０６】
右傾斜部５２Ｒは、図５に示すように、カバーフレーム３３の後右端部において、右係合部５１Ｒの左方に位置している。右傾斜部５２Ｒは、傾斜壁７８と、垂直壁７９と、突出部８０とを備えている。
【０１０７】
傾斜壁７８は、本体部５０に連続して、後下方へ延びている。傾斜壁７８は、後方へ向かうにつれて下方へ傾斜している。傾斜壁７８は、平面視略矩形の平板形状を有している。傾斜壁７８の下面と本体部５０の下面との下方の角度は、傾斜壁７７の下面７７Ａと本体部５０の下面５０Ａとの角度θ１と同じである。
【０１０８】
垂直壁７９は、右係合部５１Ｒの左端部から下方へ延びる平板形状を有している。垂直壁７９は、下端部（図９参照）において、傾斜壁７８の右端部に連続している。
【０１０９】
突出部８０は、図５および図９に示すように、傾斜壁７８の下半分から上方へ突出している。突出部８０は、上端部が閉鎖された略角筒形状を有している。突出部８０は、下端部において傾斜壁７８の上面に連続している。突出部８０の下端部は、傾斜壁７８を上下方向に貫通するように開放されている。詳しくは、突出部８０は、外壁８０Ａ、内壁８０Ｂ、上壁８０Ｃおよび後壁８０Ｄ（図５参照）を備えている。
【０１１０】
外壁８０Ａは、突出部８０の右端部に位置している。外壁８０Ａは、垂直壁７９の左方に間隔Ｄ２を隔てて位置している。外壁８０Ａは、傾斜壁７８の上面から上方に延びる平板形状を有している。
【０１１１】
内壁８０Ｂは、突出部８０の左端部に位置している。内壁８０Ｂは、傾斜壁７８の上面から上方に延びる平板形状を有している。
【０１１２】
上壁８０Ｃは、突出部８０の上端部に位置している。上壁８０Ｃは、前後方向に延びる平板形状を有している。上壁８０Ｃの右端部は、外壁８０Ａの上端部に連続している。上壁８０Ｃの左端部は、内壁８０Ｂの上端部に連続している。上壁８０Ｃの前端部は、傾斜壁７８の上下方向略中央に連続している。上壁８０Ｃの上面は、前端部において、傾斜壁７８の上面に連続している。
【０１１３】
後壁８０Ｄは、突出部８０の後端部に位置している。後壁８０Ｄは、傾斜壁７８の上面から上方に延びる平板形状を有している。後壁８０Ｄの右端部は、外壁８０Ａの後端部に連続している。後壁８０Ｄの左端部は、内壁８０Ｂの後端部に連続している。後壁８０Ｄの上端部は、上壁８０Ｃの後端部に連続している。
【０１１４】
中央部５３は、図３および図５に示すように、左傾斜部５２Ｌと、右傾斜部５２Ｒとの間に位置している。すなわち、係合ボス４４は、左傾斜部５２Ｌよりも中央部５３から左方に離れて位置している。また、係合ボス６８は、右傾斜部５２Ｒよりも中央部５３から右方に離れて位置している。中央部５３は、左右方向に延び、左右方向両端部が閉鎖され、下端部が開放された略角筒形状を有している。詳しくは、中央部５３は、平行壁５８と、傾斜壁５９と、左壁６０Ｌ、右壁６０Ｒ（図９参照）および後壁６２を備えている。
【０１１５】
平行壁５８は、本体部５０に連続して、後方へ延びている。平行壁５８は、前後方向に延び、平面視略矩形の平板形状を有している。
【０１１６】
傾斜壁５９は、平行壁５８に連続して、後下方へ延びている。傾斜壁５９は、後方へ向かうにつれて下方へ傾斜している。すなわち、傾斜壁５９は、平行壁５８よりも現像ローラ２に近い。傾斜壁５９は、平面視略矩形の平板形状を有している。傾斜壁５９の下面５９Ａと平行壁５８の下面５８Ａとの角度θ２は、傾斜壁７７の下面７７Ａと本体部５０の下面５０Ａとの角度θ１（図８参照）より大きな鈍角であり、１５６°である。角度θ２は、例えば、１２０°以上であり、１８０°未満とすることができる。また、傾斜壁５９の下面５９Ａは、傾斜壁７７の下面７７Ａ（図８参照）に対して、後上方に位置している。また、傾斜壁５９と平行壁５８との連続部分Ｐ１は、傾斜壁７７と本体部５０との連続部分Ｐ２よりも前方に位置し、現像ローラ２に近い位置に位置している。
【０１１７】
左壁６０Ｌは、中央部５３の左端部に位置している。左壁６０Ｌは、上下方向に延びる平板形状を有している。左壁６０Ｌの上端部は、平行壁５８の左端部と、傾斜壁５９の左端部とに連続している。左壁６０Ｌの下端部は、左傾斜部５２Ｌの傾斜壁７７の右端部に連続している。
【０１１８】
右壁６０Ｒは、図９に示すように、中央部５３の右端部に位置している。右壁６０Ｒは、上下方向に延びる平板形状を有している。右壁６０Ｒの上端部は、平行壁５８の右端部と、傾斜壁５９の右端部とに連続している。右壁６０Ｒの下端部は、右傾斜部５２Ｒの傾斜壁７８の左端部に連続している。
【０１１９】
後壁６２は、図３および図５に示すように、中央部５３の後端部に位置している。後壁６２は、上下方向に延びる平板形状を有している。後壁６２の上端部は、傾斜壁５９の後端部に連続している。後壁６２の左端部は、左壁６０Ｌの後端部に連続している。後壁６２の右端部は、右壁６０Ｒの後端部に連続している。
【０１２０】
ブレード支持部５５は、図５に示すように、中央部５３の後方において、左傾斜部５２Ｌの垂直壁７６の後端部と、右傾斜部５２Ｒの垂直壁７９の後端部との間に位置している。ブレード支持部５５は、対向壁８６と、複数の連結リブ８７とを備えている。
【０１２１】
対向壁８６は、左右方向に延びる後面視略矩形の平板形状を有している。対向壁８６の左端部は、左傾斜部５２Ｌの垂直壁７６の後端部に連続している。また、対向壁８６の左端部は、その下端部（図８参照）において、左傾斜部５２Ｌの傾斜壁７７の後端部に連続している。対向壁８６の右端部は、右傾斜部５２Ｒの垂直壁７９の後端部に連続している。また、対向壁８６の右端部は、対向壁８６の左端部と同様に、その下端部において、右傾斜部５２Ｒの傾斜壁７８の後端部に連続している。対向壁８６は、複数の凹部８６Ａを有している。
【０１２２】
複数の凹部８６Ａのそれぞれは、左傾斜部５２Ｌと右傾斜部５２Ｒとの間において、互いに左右方向に間隔を隔てて位置している。複数の凹部８６Ａのそれぞれは、対向壁８６の上端縁から下方へ凹み、上端部が開放された後面視略Ｕ字形状を有している。
【０１２３】
複数の連結リブ８７は、図４および図５に示すように、第１連結リブ８７Ａと、第２連結リブ８７Ｂとを含む。
【０１２４】
左方の第１連結リブ８７Ａは、左傾斜部５２Ｌの突出部５７の左端部から後方へ延びる略平板形状を有している。左方の第１連結リブ８７Ａは、後端部において、対向壁８６の左端部の前面に連続している。右方の第１連結リブ８７Ａは、右傾斜部５２Ｒの突出部８０の右端部から後方へ延びる略平板形状を有している。右方の第１連結リブ８７Ａは、後端部において、対向壁８６の右端部の前面に連続している。
【０１２５】
第２連結リブ８７Ｂは、中央部５３と、対向壁８６とを連結する。第２連結リブ８７Ｂは、中央部５３の後壁６２から後方へ延びる略平板形状を有している。第２連結リブ８７Ｂは、後端部において、凹部８６Ａの縁に連続している。
【０１２６】
溶着リブ５４は、図６に示すように、第１溶着リブ９１と、左方の第２溶着リブ９２Ｌと、右方の第２溶着リブ９２Ｒとを有している。
【０１２７】
第１溶着リブ９１は、本体部５０の外周に位置している。第１溶着リブ９１は、本体部５０の下面から下方へ突出し、本体部５０の外周にわたって延びている。左方の第１溶着リブ９１の後端部は、左傾斜部５２Ｌの左端部の前方に位置している。右方の第１溶着リブ９１の後端部は、右傾斜部５２Ｒの右端部の前方に位置している。
【０１２８】
左方の第２溶着リブ９２Ｌは、左傾斜部５２Ｌの下面に位置している。左方の第２溶着リブ９２Ｌは、左傾斜部５２Ｌの左端部の下面から下方へ突出し、前後方向に延びている。左方の第２溶着リブ９２Ｌの前端部は、左方の第１溶着リブ９１の後端部に連続している。左方の第２溶着リブ９２Ｌの後端部は、左傾斜部５２Ｌの傾斜壁７７の後端部に位置している。左方の第２溶着リブ９２Ｌの右端縁２００は、図９に示すように、左傾斜部５２Ｌの突出部５７の外壁５７Ａの下方に位置している。詳しくは、左方の第２溶着リブ９２Ｌの右端縁２００は、上下方向に見て、外壁５７Ａの左面２０２に沿うように、外壁５７Ａと重なっている。
【０１２９】
右方の第２溶着リブ９２Ｒは、図６に示すように、右傾斜部５２Ｒの下面に位置している。右方の第２溶着リブ９２Ｒは、右傾斜部５２Ｒの右端部の下面から下方へ突出し、前後方向に延びている。右方の第２溶着リブ９２Ｒの前端部は、右方の第１溶着リブ９１の後端部に連続している。右方の第２溶着リブ９２Ｒの後端部は、右傾斜部５２Ｒの傾斜壁７８の後端部に位置している。右方の第２溶着リブ９２Ｒの左端縁２０１は、図９に示すように、右傾斜部５２Ｒの突出部８０の外壁８０Ａの下方に位置している。詳しくは、右方の第２溶着リブ９２Ｒの左端縁２０１は、上下方向に見て、外壁８０Ａの右面２０３に沿うように、外壁８０Ａと重なっている。
（２）ブレード
ブレード４は、図１１および図１２に示すように、ブレード本体７１と、第１支持板７２と、第２支持板７３と、ブレードシール７４と、２つの第２サイドシール７５と、複数のネジ１０１を備えている。
【０１３０】
ブレード本体７１は、金属からなり、左右方向に延びる平板形状を有している。ブレード本体７１は、接触部材７１Ａと、複数の第１ネジ挿通穴７１Ｂと、２つの第２ネジ挿通穴７１Ｃとを有している。
【０１３１】
接触部材７１Ａは、ブレード本体７１の下端部の後面に位置している。接触部材７１Ａは、シリコンゴムからなり、左右方向に延びる略平板形状を有している。
【０１３２】
複数の第１ネジ挿通穴７１Ｂのそれぞれは、ブレード本体７１の上端部に位置している。複数の第１ネジ挿通穴７１Ｂのそれぞれは、左右方向に互いに間隔を隔てている。複数の第１ネジ挿通穴７１Ｂのそれぞれは、ブレード本体７１を前後方向に貫通し、略円形状を有している。
【０１３３】
２つの第２ネジ挿通穴７１Ｃのそれぞれは、ブレード本体７１の左上端部と右上端部とに１つずつ位置している。左方の第２ネジ挿通穴７１Ｃは、ブレード本体７１を前後方向に貫通し、略円形状を有している。右方の第２ネジ挿通穴７１Ｃは、ブレード本体７１を前後方向に貫通し、左右方向に延びる略長穴形状を有している。
【０１３４】
第１支持板７２は、ブレード本体７１の上端部の前方に位置している。第１支持板７２は、ブレード本体７１よりも厚い金属からなり、左右方向に延びる平板形状を有している。第１支持板７２は、２つの突部７２Ａと、複数の第１ネジ挿通穴７２Ｂと、２つの第２ネジ挿通穴７２Ｃと、２つの位置決めボス挿通穴７２Ｄとを有している。
【０１３５】
２つの突部７２Ａのそれぞれは、第１支持板７２の左上端部と右上端部とに１つずつ位置している。左方の突部７２Ａは、第１支持板７２の左上端部から上方へ突出し、略矩形の平板形状を有している。右方の突部７２Ａは、第１支持板７２の右上端部から上方へ突出し、略矩形の平板形状を有している。
【０１３６】
複数の第１ネジ挿通穴７２Ｂのそれぞれは、第１支持板７２の上端部に位置している。複数の第１ネジ挿通穴７２Ｂのそれぞれは、左右方向に互いに間隔を隔てている。複数の第１ネジ挿通穴７２Ｂのそれぞれは、第１支持板７２を前後方向に貫通し、略円形状を有している。
【０１３７】
２つの第２ネジ挿通穴７２Ｃのそれぞれは、第１支持板７２の左下端部と右下端部とに１つずつ位置している。左方の第２ネジ挿通穴７２Ｃは、第１支持板７２を前後方向に貫通し、略円形状を有している。右方の第２ネジ挿通穴７２Ｃは、第１支持板７２を前後方向に貫通し、左右方向に延びる略長穴形状を有している。
【０１３８】
２つの位置決めボス挿通穴７２Ｄのそれぞれは、第１支持板７２の左上端部と右上端部とに１つずつ位置している。左方の位置決めボス挿通穴７２Ｄは、左方の突部７２Ａを前後方向に貫通し、略円形状を有している。右方の位置決めボス挿通穴７２Ｄは、右方の突部７２Ａを前後方向に貫通し、左右方向に延びる略長穴形状を有している。
【０１３９】
第２支持板７３は、ブレード本体７１の上端部の後方に位置している。第２支持板７３は、ブレード本体７１よりも厚い金属からなり、左右方向に延び、下端部が後方に屈曲した平板形状を有している。第２支持板７３は、２つの突部７３Ａと、複数のネジ固定穴７３Ｂと、２つのネジ挿通穴７３Ｃと、２つの位置決めボス挿通穴７３Ｄと、２つの切欠部７３Ｅとを有している。
【０１４０】
２つの突部７３Ａのそれぞれは、第２支持板７３の左上端部と右上端部とに１つずつ位置している。左方の突部７３Ａは、第２支持板７３の左上端部から上方へ突出し、略矩形の平板形状を有している。右方の突部７３Ａは、第２支持板７３の右上端部から上方へ突出し、略矩形の平板形状を有している。
【０１４１】
複数のネジ固定穴７３Ｂのそれぞれは、第２支持板７３の上端部に位置している。複数のネジ固定穴７３Ｂのそれぞれは、左右方向に互いに間隔を隔てている。複数のネジ固定穴７３Ｂのそれぞれは、第２支持板７３を前後方向に貫通し、略円形状を有している。
【０１４２】
２つのネジ挿通穴７３Ｃのそれぞれは、第２支持板７３の左下端部と右下端部とに１つずつ位置している。左方のネジ挿通穴７３Ｃは、第２支持板７３を前後方向に貫通し、略円形状を有している。右方のネジ挿通穴７３Ｃは、第２支持板７３を前後方向に貫通し、左右方向に延びる略長穴形状を有している。
【０１４３】
２つの位置決めボス挿通穴７３Ｄのそれぞれは、第２支持板７３の左上端部と右上端部とに１つずつ位置している。左方の位置決めボス挿通穴７３Ｄは、左方の突部７３Ａを前後方向に貫通し、略円形状を有している。右方の位置決めボス挿通穴７３Ｄは、右方の突部７３Ａを前後方向に貫通し、左右方向に延びる略長穴形状を有している。
【０１４４】
２つの切欠部７３Ｅのそれぞれは、第２支持板７３の左下端部と右下端部とに１つずつ位置している。２つの切欠部７３Ｅのそれぞれは、第２支持板７３の後端部から前方へ切り欠かれている。２つの切欠部７３Ｅのそれぞれは、略矩形状を有している。現像カートリッジ１（図１参照）をメンテナンスするときには、切欠部７３Ｅを介して、例えば、ブラシなどの清掃具を第２支持板７３の下方に挿入し、現像ローラ２のローラ部２Ｂと、ブレード４のブレード本体７１との接触部分を清掃できる。
【０１４５】
ブレードシール７４は、ブレード本体７１の下端部の前面に位置している。ブレードシール７４は、左右方向に延びる略角柱形状を有している。ブレードシール７４は、接着などの方法により、ブレード本体７１の下端部の前面に固定されている。
【０１４６】
２つの第２サイドシール７５のそれぞれは、接触部材７１Ａの外方において、ブレード本体７１の左下端部の後面と、右下端部の後面とに１つずつ位置している。２つの第２サイドシール７５のそれぞれは、略矩形の平板形状を有している。左方の第２サイドシール７５は、接着などの方法により、ブレード本体７１の左下端部の後面に固定されている。右方の第２サイドシール７５は、接着などの方法により、ブレード本体７１の右下端部の後面に固定されている。
【０１４７】
複数のネジ１０１のそれぞれは、第１支持板７２の第１ネジ挿通穴７２Ｂ、および、
ブレード本体７１の第１ネジ挿通穴７１Ｂに挿通され、第２支持板７３のネジ固定穴７３Ｂに固定されている。これにより、ブレード本体７１の上端部は、第１支持板７２と第２支持板７３との間に挟まれた状態で固定されている。
４．現像カートリッジの組み立て
（１）溶着装置の構成
現像カートリッジ１の組み立てに使用される溶着装置９４は、図７に示すように、２つのジグ９５と、振動部９６とを備えている。
【０１４８】
２つのジグ９５のそれぞれは、左右方向に互いに間隔を隔てて位置している。２つのジグ９５のそれぞれは、前後方向に延びる略角柱形状を有している。
【０１４９】
振動部９６は、図７および図１０に示すように、後端部が開放された略矩形の枠形状を有している。振動部９６は、第１振動部９７と、２つの第２振動部９８とを備えている。
【０１５０】
第１振動部９７は、カバーフレーム３３の本体部５０の外周に対応するように、後端部が開放された略矩形の枠形状を有している。
【０１５１】
左方の第２振動部９８は、カバーフレーム３３の左傾斜部５２Ｌに対応するように、第１振動部９７の左後端部から後方へ延び、側面視略台形状を有している。右方の第２振動部９８は、カバーフレーム３３の右傾斜部５２Ｒに対応するように、第１振動部９７の右後端部から後方へ延び、側面視略台形状を有している。
（２）ベースフレームとカバーフレームとの溶着
現像カートリッジ１を組み立てるには、作業者は、まず、ベースフレーム３２にアジテータ６を組み付け、次いで、図７および図１０に示すように、カバーフレーム３３を、ベースフレーム３２を被覆するように、ベースフレーム３２に上方から重ね合わせて溶着する。
【０１５２】
カバーフレーム３３がベースフレーム３２に重ね合わされた状態では、図５および図８に示すように、カバーフレーム３３の第１溶着リブ９１は、ベースフレーム３２の左壁３４Ｌの本体部３７の上面Ｓ１、右壁３４Ｒの本体部６１の上面Ｓ３、および、前壁３５の上面Ｓ５に上方から当接する。
【０１５３】
また、図８および図９に示すように、カバーフレーム３３の左方の第２溶着リブ９２Ｌは、ベースフレーム３２の左壁３４Ｌの傾斜部４０の上面Ｓ２に上方から当接する。また、カバーフレーム３３の右方の第２溶着リブ９２Ｒは、ベースフレーム３２の右壁３４Ｒの傾斜部６４の上面Ｓ４に上方から当接する。
【０１５４】
このとき、左傾斜部５２Ｌの突出部５７の外壁５７Ａは、ベースフレーム３２の左壁３４Ｌの傾斜部４０の右端縁の上方に位置している。また、突出部５７の内壁５７Ｂは、傾斜部４０の右端縁よりも右方に位置している。突出部５７の内部空間は、現像フレーム３１の内部空間に連通している。
【０１５５】
また、右傾斜部５２Ｒの突出部８０の外壁８０Ａは、ベースフレーム３２の右壁３４Ｒの傾斜部６４の左端縁の上方に位置している。また、突出部８０の内壁８０Ｂは、傾斜部６４の左端縁よりも左方に位置している。突出部８０の内部空間は、トナー収容部５に連通している。
【０１５６】
また、左壁３４Ｌの係合ボス４４は、左係合部５１Ｌの係合穴５６に挿通される。右壁３４Ｒの係合ボス６８は、右係合部５１Ｒの係合穴８１に挿通される。すなわち、係合穴５６は、傾斜部４０よりも中央部５３から左方に離れて位置している。また、係合穴８１は、傾斜部６４よりも中央部５３から右方に離れて位置している。
【０１５７】
次いで、作業者は、図７に示すように、現像フレーム３１を溶着装置９４に設置する。
【０１５８】
このとき、左方のジグ９５は、左壁３４Ｌの傾斜部４０の後端部に下方から接触する。また、右方のジグ９５は、右壁３４Ｒの傾斜部６４の後端部に下方から接触する。
【０１５９】
また、第１振動部９７は、第１溶着リブ９１の上方に位置するように、カバーフレーム３３の本体部５０の上面に接触する。また、左方の第２振動部９８は、左方の第２溶着リブ９２Ｌの上方に位置するように、カバーフレーム３３の傾斜壁７７の上面、および、突出部５７の上面に接触する。また、右方の第２振動部９８は、右方の第２溶着リブ９２Ｒの上方に位置するように、カバーフレーム３３の傾斜壁７８の上面、および、突出部８０の上面に接触する。
【０１６０】
そして、溶着装置９４が作動すると、第１振動部９７および第２振動部９８が超音波を発生する。すると、第１振動部９７から発生する超音波により、第１溶着リブ９１が溶融して、カバーフレーム３３の本体部５０が、ベースフレーム３２の左壁３４Ｌ、右壁３４Ｒ、および、前壁３５に溶着される。また、左方の第２振動部９８から発生する超音波により、左方の第２溶着リブ９２Ｌが溶融して、カバーフレーム３３の左傾斜部５２Ｌが、ベースフレーム３２の左壁３４Ｌの傾斜部４０に溶着される。また、右方の第２振動部９８から発生する超音波により、右方の第２溶着リブ９２Ｒが溶融して、カバーフレーム３３の右傾斜部５２Ｒが、ベースフレーム３２の右壁３４Ｒの傾斜部６４に溶着される。
【０１６１】
このようにして、カバーフレーム３３がベースフレーム３２に溶着され、現像フレーム３１が完成する。
（２）ブレードの組み付け
次いで、現像カートリッジ１を組み立てるには、図１３および図１４に示すように、現像フレーム３１に、供給ローラ３、第１サイドシール３０Ｌおよび第１サイドシール３０Ｒを組み付けた状態で、ブレード４を組み付ける。
【０１６２】
ブレード４を現像フレーム３１に組み付けるには、まず、ブレード４を、カバーフレーム３３のブレード支持部５５、左壁３４Ｌのブレード取付部４３、および、右壁３４Ｒのブレード取付部６７の後方に向かい合わせる。そして、第１支持板７２の左方の位置決めボス挿通穴７２Ｄ、および、第２支持板７３の左方の位置決めボス挿通穴７３Ｄに、左壁３４Ｌの位置決めボス４５を挿通する。また、第１支持板７２の右方の位置決めボス挿通穴７２Ｄ、および、第２支持板７３の右方の位置決めボス挿通穴７３Ｄに、右壁３４Ｒの位置決めボス６９を挿通する。
【０１６３】
すると、ブレード４は、カバーフレーム３３の傾斜壁５９よりも下方において、ベースフレーム３２に支持される。すなわち、傾斜壁５９は、ブレード４よりもベースフレーム３２から上方に離れている。
【０１６４】
このとき、図１４に仮想線で示すように、ブレード４のブレードシール７４は、左端部において、左傾斜部５２Ｌと左壁３４Ｌの傾斜部４０との継ぎ目Ｊ１（図１３参照）の後方に向かい合う。また、ブレードシール７４は、右端部において、右傾斜部５２Ｒと右壁３４Ｒの傾斜部６４との継ぎ目Ｊ２（図１３参照）の後方に向かい合う。なお、ブレード本体７１の上端縁７１Ｄ（図１２参照）は、継ぎ目Ｊ１および継ぎ目Ｊ２よりも上方、かつ、ベースフレーム３２の対向壁８６の上端部８６Ｂよりも下方に位置する。
【０１６５】
次いで、ブレード４を現像フレーム３１に組み付けるには、ネジ１０２を、第２支持板７３の左方のネジ挿通穴７３Ｃ、ブレード本体７１の左方の第２ネジ挿通穴７１Ｃ、および、第１支持板７２の左方の第２ネジ挿通穴７２Ｃに挿通し、左壁３４Ｌのネジ穴４６に固定する。また、ネジ１０２を、第２支持板７３の右方のネジ挿通穴７３Ｃ、ブレード本体７１の右方の第２ネジ挿通穴７１Ｃ、および、第１支持板７２の右方の第２ネジ挿通穴７２Ｃに挿通し、右壁３４Ｒのネジ穴４６に固定する。
【０１６６】
これにより、現像フレーム３１に対するブレード４の組み付けが完了する。また、ブレードシール７４は、現像フレーム３１の対向壁８６とブレード本体７１との間で圧縮される。
【０１６７】
その後、図１に示すように、ブレード４の後方において、現像フレーム３１に現像ローラ２を組み付けると、現像カートリッジ１の組み立てが完了する。
【０１６８】
カバーフレーム３３の中央部５３、ベースフレーム３２の左壁３４Ｌの取付部３９、ベースフレーム３２の右壁３４Ｒの取付部６３、ベースフレーム３２の下壁３６の第２部分３６Ｂ、供給ローラ３、現像ローラ２およびブレード４によって画定された空間が、現像室１２０である。現像室１２０は、トナー収容部５に連通している。
５．画像形成動作
上記したように、画像形成動作が開始されると、トナー収容部５内のトナーは、現像室１２０へ搬送され、現像ローラ２に担持される。
【０１６９】
このとき、図３に矢印で示すように、ブレード４によって現像ローラ２から掻き取られたトナーや、現像ローラ２に担持されなかったトナーは、トナー収容部５からさらに供給されるトナーに押し出されるように、中央部５３の内部空間を通って、トナー収容部５へ循環される。
６．特許請求の範囲との対応関係
前後方向は、第１方向の一例である。左右方向は、軸線方向の一例である。
【０１７０】
ベースフレーム３２は、第１フレームの一例である。トナー収容部５は、現像剤収容部の一例である。左壁３４Ｌの取付部３９、右壁３４Ｒの取付部６３、下壁３６の第２部分３６Ｂ、および、下壁３６の第３部分３６Ｃ、は、現像ローラ支持部を構成する。左壁３４Ｌの上面Ｓ１のうち、第１溶着リブ９１と接触する部分は、第１溶着面の一例である。また、右壁３４Ｒの上面Ｓ３のうち、第１溶着リブ９１と接触する部分は、第１溶着面の一例である。傾斜部４０の上面Ｓ２、または、傾斜部６４の上面Ｓ４は、第２溶着面の一例である。
【０１７１】
カバーフレーム３３は、第２フレームの一例である。本体部５０は、第１壁の一例である。本体部５０の下面５０Ａのうち、第１溶着リブ９１を有する部分は、第３溶着面の一例である。傾斜壁７７または傾斜壁７８は、第２壁の一例である。傾斜壁７７の下面７７Ａ、または、傾斜壁７８の下面７８Ａは、第４溶着面の一例である。突出部５７の上面Ｓ６、または、突出部８０の上面Ｓ７は、面の一例である。垂直壁７６または垂直壁７９は、側壁の一例である。突出部５７の外壁５７Ａの下端部Ｅ１、または、突出部８０の外壁８０Ａの下端部Ｅ１は、第１端の一例である。突出部５７の外壁５７Ａの上端部Ｅ２、または、突出部８０の外壁８０Ａの上端部Ｅ２は、第２端の一例である。突出部５７の内壁５７Ｂの下端部Ｅ３、または、突出部８０の内壁８０Ｂの下端部Ｅ３は、第３端の一例である。突出部５７の内壁５７Ｂの上端部Ｅ４、または、突出部８０の内壁８０Ｂの上端部Ｅ４は、第４端の一例である。突出部５７の上壁５７Ｃ、または、突出部８０の上壁８０Ｃは、連結壁の一例である。左方の第２溶着リブ９２Ｌ、または、右方の第２溶着リブ９２Ｒは、リブの一例である。第１連結リブ８７Ａは、連結リブの一例である。
７．作用効果
（１）この現像カートリッジ１によれば、図１および図７に示すように、カバーフレーム３３をベースフレーム３２に溶着するときに、突出部５７の上面Ｓ６、および、突出部８０の上面Ｓ７に溶着装置９４の第２振動部９８を接触させて、左方の第２溶着リブ９２Ｌ、および、右方の第２溶着リブ９２Ｒに超音波を加えることができる。
【０１７２】
そのため、突出部５７の上面Ｓ６、および、突出部８０の上面Ｓ７で確実に溶着装置９４の第２振動部９８を支持することができる。
【０１７３】
これにより、カバーフレーム３３の本体部５０、傾斜壁７７および傾斜壁７８に、溶着装置９４の振動部９６からの押圧力を均一に加えながら、カバーフレーム３３とベースフレーム３２とを溶着することができる。
【０１７４】
その結果、カバーフレーム３３とベースフレーム３２とを安定に溶着することができる。
（２）この現像カートリッジ１によれば、図１０に示すように、突出部５７の上面Ｓ６（または、突出部８０の上面Ｓ７）は、本体部５０の下面５０Ａと平行している。
【０１７５】
そのため、上方から、突出部５７の上面Ｓ６（または、突出部８０の上面Ｓ７）に、溶着装置９４の振動部９６を接触させることができる。
【０１７６】
これにより、溶着装置９４の振動部９６を、突出部５７（または突出部８０）および本体部５０の両方に、上方から接触させて、本体部５０と、左壁３４Ｌ、右壁３４Ｒおよび前壁３５とを溶着するとともに、傾斜壁７７（または傾斜壁７８）と、傾斜部４０（傾斜部６４）とを溶着することができる。
【０１７７】
その結果、カバーフレーム３３とベースフレーム３２とを円滑に溶着することができる。
（３）この現像カートリッジ１によれば、図９に示すように、左方の突出部５７は、左方の垂直壁７６の右方に、左方の垂直壁７６とは別に設けられている。また、右方の突出部８０は、右方の垂直壁７９の左方に、右方の垂直壁７９とは別に設けられている。
【０１７８】
そのため、図７に示すように、左方の垂直壁７６でガイドしながら、溶着装置９４の左方の第２振動部９８を、左方の突出部５７に確実に接触させることができる。また、右方の垂直壁７９でガイドしながら、溶着装置９４の右方の第２振動部９８を、右方の突出部８０に確実に接触させることができる。
【０１７９】
その結果、傾斜壁７７と傾斜部４０とをより確実に溶着することができるとともに、傾斜壁７８と傾斜部６４とをより確実に溶着することができる。。
（４）この現像カートリッジ１によれば、図９に示すように、左方の突出部５７の下端部は、外壁５７Ａと内壁５７Ｂとの間において開放されている。右方の突出部８０の下端部は、外壁８０Ａと内壁８０Ｂとの間において開放されている。
【０１８０】
そのため、突出部５７および突出部８０を成形するときに、外壁５７Ａと内壁５７Ｂとの間、および、外壁８０Ａと内壁８０Ｂとの間に金型を配置して、突出部５７および突出部８０を容易に成形することができる。
（５）この現像カートリッジ１によれば、図９に示すように、左方の突出部５７の外壁５７Ａは、左方の傾斜部４０の上方に位置し、左方の突出部５７の内壁５７Ｂは、左方の傾斜部４０よりも右方に位置している。
【０１８１】
そのため、図７に示すように、溶着装置９４の第２振動部９８を左方の突出部５７の上面Ｓ６に接触させると、左方の突出部５７の外壁５７Ａを、左方の傾斜部４０に押圧することができる。
【０１８２】
その結果、外壁５７Ａの近くにおいて、傾斜壁７７と傾斜部４０とを、押圧しながら確実に溶着することができる。
【０１８３】
また、図９に示すように、右方の突出部８０の外壁８０Ａは、右方の傾斜部６４の上方に位置し、右方の突出部８０の内壁８０Ｂは、右方の傾斜部６４よりも左方に位置している。
【０１８４】
そのため、図７に示すように、溶着装置９４の第２振動部９８を右方の突出部８０の上面Ｓ７に接触させると、右方の突出部８０の外壁８０Ａを、右方の傾斜部６４に押圧することができる。
【０１８５】
その結果、外壁８０Ａの近くにおいて、傾斜壁７８と傾斜部６４とを、押圧しながら確実に溶着することができる。
（６）この現像カートリッジ１によれば、図９に示すように、左方の第２溶着リブ９２Ｌの右端は、上下方向に見て、左方の突出部５７の外壁５７Ａに重なっている。
【０１８６】
そのため、図７に示すように、溶着装置９４の第２振動部９８を、左方の突出部５７の上面Ｓ６に接触させて、左方の突出部５７の外壁５７Ａを、左方の傾斜部４０に押圧することにより、左方の第２溶着リブ９２Ｌを、左方の傾斜部４０に確実に押圧することができる。また、上下方向において短い距離で、左方の第２溶着リブ９２Ｌに、超音波を伝えることができる。
【０１８７】
その結果、傾斜壁７７と傾斜部４０とを、より確実に溶着することができる。
【０１８８】
また、図９に示すように、右方の第２溶着リブ９２Ｒの左端は、傾斜壁７８に直交する方向から見て、右方の突出部８０の外壁８０Ａに重なっている。
【０１８９】
そのため、図７に示すように、溶着装置９４の第２振動部９８を、右方の突出部８０の上面Ｓ７に接触させて、右方の突出部８０の外壁８０Ａを、右方の傾斜部６４に押圧することにより、右方の第２溶着リブ９２Ｒを、右方の傾斜部６４に確実に押圧することができる。また、上下方向において短い距離で、右方の第２溶着リブ９２Ｒに、超音波を伝えることができる。
【０１９０】
その結果、傾斜壁７８と傾斜部６４とを、より確実に溶着することができる。
（７）この現像カートリッジ１によれば、図４に示すように、ブレード４に向かい合う対向壁８６は、第１連結リブ８７Ａにより、突出部５７または突出部８０と連結されている。
【０１９１】
そのため、ブレード４に向かい合う対向壁８６を、第１連結リブ８７Ａで支えることができ、ブレード４を、より確実に支持することができる。
８．変形例
上記した実施形態では、ブレード本体７１を、第１支持板７２および第２支持板７３で挟んでいるが、ブレード４の構成は特に限定されず、例えば、ブレード本体７１を、第１支持板７２および第２支持板７３に溶着してもよい。また、ブレード本体７１は、接触部材７１Ａを備えない金属板でもよい。
【０１９２】
また、上記した実施形態では、ブレードシール７４は、ブレード本体７１に固定されているが、ブレードシール７４は、現像フレーム３１に固定されてもよい。
【０１９３】
また、上記した実施形態において、現像ローラ２は、現像フレーム３１の左壁３４Ｌと右壁３４Ｒとに、直接的に支持されてもよい。また、現像ローラ２は、軸受などを介して、現像フレーム３１の左壁３４Ｌと右壁３４Ｒとに、間接的に支持されてもよい。
【符号の説明】
【０１９４】
１      現像カートリッジ
２      現像ローラ
４      ブレード
５      トナー収容部
３２    ベースフレーム
３３    カバーフレーム
５０    本体部
５０Ａ  下面
５７    突出部
５７Ａ  外壁
５７Ｂ  内壁
５７Ｃ  上壁
７６    垂直壁
７７    傾斜壁
７７Ａ  下面
７８    傾斜壁
７８Ａ  下面
７９    垂直壁
８０    突出部
８０Ａ  外壁
８０Ｂ  内壁
８０Ｃ  上壁
８６    対向壁
８７Ａ  第１連結リブ
９２Ｌ  第２溶着リブ
９２Ｒ  第２溶着リブ
Ｄ１    間隔
Ｄ２    間隔
Ｅ１    下端部
Ｅ２    上端部
Ｅ３    下端部
Ｅ４    上端部
Ｓ１    上面
Ｓ２    上面
Ｓ３    上面
Ｓ４    上面
Ｓ６    上面
Ｓ７    上面
【図１】
2016142871.tif 000003
【図２】
2016142871.tif 000004
【図３】
2016142871.tif 000005
【図４】
2016142871.tif 000006
【図５】
2016142871.tif 000007
【図６】
2016142871.tif 000008
【図７】
2016142871.tif 000009
【図８】
2016142871.tif 000010
【図９】
2016142871.tif 000011
【図１０】
2016142871.tif 000012
【図１１】
2016142871.tif 000013
【図１２】
2016142871.tif 000014
【図１３】
2016142871.tif 000015
【図１４】
2016142871.tif 000016